(57)【特許請求の範囲】
【請求項１】
第１の方向において複数のレンズを備え、検知エリアに設定された複数の検知ゾーンのそれぞれから放射される赤外線を、前記複数のレンズのうち当該検知ゾーンに対応するレンズにより集光する集光レンズと、
前記集光レンズにより集光した赤外線を受光する受光素子と、
赤外線を遮光する材料で短冊状に形成された遮光部材であって、前記集光レンズの一面に沿って前記第１の方向にスライド移動可能に配置され、前記複数のレンズのうち、前記遮光部材の先端から前記集光レンズの一端までの間に位置するレンズを遮蔽する遮光部材と、
前記集光レンズの前記一端側に取り付けられ、前記遮光部材を支持する遮蔽ガイドと、
前記受光素子が受光した赤外線に応じた検知信号を出力する信号処理部と、を有し、
前記遮光部材及び前記遮蔽ガイドのうちの一方には、前記複数のレンズのそれぞれを示す複数の識別情報が、隣接する二つの識別情報の位置関係がそれぞれ対応する二つのレンズの相互の位置関係と同一の位置関係で表示され、
前記遮光部材及び前記遮蔽ガイドのうちの他方には、前記遮光部材及び前記遮蔽ガイドのうちの一方に表示された前記複数の識別情報のうち、前記遮光部材の先端部分で遮蔽されている前記レンズ、または、当該レンズに隣接する遮蔽されていない前記レンズを示す識別情報を指し示す指示手段を備える、
ことを特徴とする赤外線センサ。
【請求項２】
前記集光レンズは、前記第１の方向と直交する第２の方向において、それぞれ前記第１の方向に複数のレンズを備える複数の段を構成し、
前記遮光部材は、前記複数の段ごとに配置され、
前記遮蔽ガイドは、前記複数の段ごとに取り付けられ、前記遮光部材の各段を独立してスライド移動可能に支持し、
前記指示手段は、前記複数の段ごとに設けられ、各段の遮光部材の位置に応じて前記レンズを示す識別情報の表示を指し示す、請求項１に記載の赤外線センサ。
【請求項３】
前記遮蔽ガイドは、前記遮光部材の先端が前記第１の方向に隣接するレンズの間の境界の位置毎に当該遮光部材を係止させるための係止手段を備える、請求項１または２に記載の赤外線センサ。
【請求項４】
複数のミラーからなり、検知エリアに設定された複数の検知ゾーンのそれぞれから放射される赤外線を、前記複数のミラーのうち当該検知ゾーンに対応するミラーにより集光する集光ミラーと、
前記集光ミラーにより集光した赤外線を受光する受光素子と、
赤外線を透過する材料で形成され、前記集光ミラーの前面に配置されるカバーと、
赤外線を遮光する材料で短冊状に形成された遮光部材であって、前記カバーの一面に沿って第１の方向にスライド移動可能に配置され、前記遮光部材の先端から前記カバーの一端までの領域を遮蔽する遮光部材と、
前記カバーの前記一端側に取り付けられ、前記遮光部材を支持する遮蔽ガイドと、
前記受光素子が受光した赤外線に応じた検知信号を出力する信号処理部と、を有し、
前記遮光部材及び前記遮蔽ガイドのうちの一方には、前記複数のミラーのそれぞれを示す複数の識別情報が、隣接する二つの識別情報の位置関係がそれぞれ対応する二つのミラーで集光する赤外線が通過する前記カバー上の面領域の相互の位置関係に応じた位置関係で表示され、
前記遮光部材及び前記遮蔽ガイドのうちの他方には、前記遮光部材及び前記遮蔽ガイドのうちの一方に表示された前記複数の識別情報のうち、前記遮光部材の先端部分で遮蔽されている前記面領域、または、当該面領域に隣接する遮蔽されていない前記面領域に対応する前記ミラーを示す識別情報を指し示す指示手段を備える、
ことを特徴とする赤外線センサ。
【発明の詳細な説明】
【技術分野】
【０００１】
本発明は、検知エリアに設定された複数の検知ゾーンの熱変化を検出する焦電型の赤外線センサに関する。
【背景技術】
【０００２】
近年、監視領域に侵入する侵入物体を検出するために、焦電型の赤外線センサ（ＰＩＲセンサ；Passive InfraRed Sensor）が広く開発されている。このようなＰＩＲセンサが侵入物体を検出する検知エリアは、一般に各々離間した複数の検知ゾーンによって構成される。ＰＩＲセンサは、例えば集光レンズを用いて、各検知ゾーンからの赤外線（熱線）を集光する。ＰＩＲセンサに用いられる集光レンズは、例えば複数のレンズを２次元に配列したレンズアレイからなり、各レンズは、それぞれ対応する検知ゾーンから放射された赤外線を焦電素子で受光するようにアライメント調整されている。そしてＰＩＲセンサは、焦電素子で受光した各検知ゾーンからの赤外線の熱エネルギーの時間的な変化を検出することにより、侵入物体を検出する。
【０００３】
このようなＰＩＲセンサで侵入物体を監視するとき、正規の利用者が通行するための道路、侵入物体を監視すべきでない領域が写る窓、第三者のプライバシーを侵害するおそれのあるドア等、検知エリアの一部では侵入物体を検出しないようにしたい（検知エリアの範囲を限定したい）場合がある。その場合、ＰＩＲセンサは、対応する検知ゾーンからの赤外線が焦電素子へ入射しないように遮光部材を用いて赤外線を遮光する必要がある。そのために従来のＰＩＲセンサは、例えば侵入物体を検出すべきでない検知ゾーンからの赤外線を集光するレンズのレンズ面に遮光シールを貼ることにより、その検知ゾーンからの赤外線を遮光していた。しかしながら、レンズアレイの各レンズ面は非常に小さいため、遮光シールを貼る作業は困難であり、ＰＩＲセンサを設置する作業者は遮光シールを貼る作業に多大な時間を要していた。
【０００４】
これに対して、特許文献１には、検知エリアの範囲を限定することが可能な人体検知装置が提案されている。この人体検知装置では、天井面に固定されたケース内に熱線センサが収容され、熱線センサの、レンズアレイからなる受光レンズを伸縮自在に覆うように、一端部がケース（天井側）に固定された円筒形の蛇腹状の遮光フードが設けられている。そしてその遮光フードを伸張させることにより、人体検知装置は、レンズアレイの一部のレンズからの熱線を遮断して、そのレンズに対応する検知ゾーンを検知エリアから外すことが可能となる。
さらに、特許文献１に開示された他の実施形態では、人体検知装置において、レンズアレイの各レンズに対応する区画に分割された透光性のシェードを有するプレートが受光レンズを覆うように設けられている。この実施形態では、人体検知装置内にシェードの各区画の形状及び大きさに合わせた遮光チップが用意されている。そしてその遮光チップをシェードの、遮光するレンズに対応する区画に取り付けることにより、人体検知装置は、そのレンズからの熱線を遮断して、そのレンズに対応する検知ゾーンを検知エリアから外すことが可能となる。
【先行技術文献】
【特許文献】
【０００５】
【特許文献１】特開２０００−１３２７５５号公報
【発明の概要】
【発明が解決しようとする課題】
【０００６】
円筒形の蛇腹状の遮光フードを用いて受光レンズを遮光する場合、作業者は検知エリアから検知ゾーンを外す作業を容易にすることができる。しかしながら、遮光フードをどれだけ伸張させるとレンズアレイのどのレンズが遮光されるかが示されないため、作業者は、どの検知ゾーンが検知エリアから外れているかを容易に確認することができず、検知エリアから外す検知ゾーンを的確に設定することができなかった。
一方、遮光チップを用いて受光レンズを遮光する場合、作業者は検知エリアから外す検知ゾーンを的確に設定することができるが、遮光チップ自体が非常に小さいため、取り付ける作業が煩雑であるとともに、その遮光チップを紛失するおそれもあった。
【０００７】
そこで、本発明の目的は、検知エリアに設定された複数の検知ゾーンのうち、侵入物体を検知しない検知ゾーンを容易かつ的確に設定することができる赤外線センサを提供することにある。
【課題を解決するための手段】
【０００８】
かかる課題を解決するための本発明は、赤外線センサを提供する。係る赤外線センサは、第１の方向において複数のレンズを備え、検知エリアに設定された複数の検知ゾーンのそれぞれから放射される赤外線を、複数のレンズのうち当該検知ゾーンに対応するレンズにより集光する集光レンズと、集光レンズにより集光した赤外線を受光する受光素子と、赤外線を遮光する材料で短冊状に形成された遮光部材であって、集光レンズの一面に沿って第１の方向にスライド移動可能に配置され、複数のレンズのうち、遮光部材の先端から集光レンズの一端までの間に位置するレンズを遮蔽する遮光部材と、集光レンズの一端側に取り付けられ、遮光部材を支持する遮蔽ガイドと、受光素子が受光した赤外線に応じた検知信号を出力する信号処理部と、を有し、遮光部材及び遮蔽ガイドのうちの一方には、複数のレンズのそれぞれを示す複数の識別情報が、隣接する二つの識別情報の位置関係がそれぞれ対応する二つのレンズの相互の位置関係と同一の位置関係で表示され、遮光部材及び遮蔽ガイドのうちの他方には、遮光部材の先端部分で遮蔽されているレンズ、または、当該レンズに隣接する遮蔽されていないレンズを示す識別情報の表示を指し示す指示手段を備える。
【０００９】
また、本発明に係る赤外線センサにおいて、集光レンズは、第１の方向と直交する第２の方向において、それぞれ第１の方向に複数のレンズを備える複数の段を構成し、遮光部材は、複数の段ごとに配置され、遮蔽ガイドは、複数の段ごとに取り付けられ、遮光部材の各段を独立してスライド移動可能に支持し、指示手段は、複数の段ごとに設けられ、各段の遮光部材の位置に応じてレンズを示す識別情報の表示を指し示すことが好ましい。
【００１０】
さらに、本発明に係る赤外線センサにおいて、遮蔽ガイドは、遮光部材の先端が第１の方向に隣接するレンズの間の境界の位置毎に当該遮光部材を係止させるための係止手段を備えることが好ましい。
【００１１】
また、本発明の他の形態は、赤外線センサを提供する。係る赤外線センサは、複数のミラーからなり、検知エリアに設定された複数の検知ゾーンのそれぞれから放射される赤外線を、複数のミラーのうち当該検知ゾーンに対応するミラーにより集光する集光ミラーと、集光ミラーにより集光した赤外線を受光する受光素子と、赤外線を透過する材料で形成され、集光ミラーの前面に配置されるカバーと、赤外線を遮光する材料で短冊状に形成された遮光部材であって、カバーの一面に沿って第１の方向にスライド移動可能に配置され、遮光部材の先端からカバーの一端までの領域を遮蔽する遮光部材と、カバーの一端側に取り付けられ、遮光部材を支持する遮蔽ガイドと、受光素子が受光した赤外線に応じた検知信号を出力する信号処理部と、を有し、遮光部材及び遮蔽ガイドのうちの一方には、複数のミラーのそれぞれを示す複数の識別情報が、隣接する二つの識別情報の位置関係がそれぞれ対応する二つのミラーで集光する赤外線が通過するカバー上の面領域の相互の位置関係に応じた位置関係で表示され、遮光部材及び遮蔽ガイドのうちの他方には、遮光部材の先端部分で遮蔽されている面領域、または、当該面領域に隣接する遮蔽されていない面領域に対応するミラーを示す識別情報の表示を指し示す指示手段を備える。
【発明の効果】
【００１２】
本発明に係る赤外線センサは、検知エリアに設定された複数の検知ゾーンのうち、侵入物体を検知しない検知ゾーンを容易かつ的確に設定することができるという効果を奏する。
【図面の簡単な説明】
【００１３】
【図１】本発明を適用した赤外線センサの外観を示す概略斜視図である。
【図２】赤外線センサの断面図である。
【図３】赤外線センサの外側から見た、筐体から取り外された本体部分の斜視図である。
【図４】赤外線センサの内側からみた、筐体から取り外された本体部分の斜視図である。
【図５】赤外線センサが検知エリアを向く方向に対して左側から見た本体部分の概略側面図である。
【図６】赤外線センサが検知エリアを向く方向に対して右側から見た本体部分の概略側面図である。
【図７】前面支持部の概略斜視図である。
【図８】集光レンズの概略斜視図である。
【図９】（ａ）は集光レンズを赤外線センサの内側から見た模式図であり、（ｂ）は集光レンズを赤外線センサが検知エリアを向く方向に対して左側から見た模式図であり、（ｃ）は集光レンズを赤外線センサが検知エリアを向く方向に対して右側から見た模式図である。
【図１０】検知ゾーンと集光レンズと焦電素子の関係を表す模式図である。
【図１１】背面支持部の概略斜視図である。
【図１２】（ａ）は延長部分を上側から見た断面図であり、（ｂ）は延長部分を赤外線センサが検知エリアを向く方向に対して左側から見た模式図である。
【図１３】遮蔽ガイドに配置された遮光シートの模式図である。
【図１４】遮光シートをスライド移動させたときの模式図である。
【図１５】（ａ）〜（ｃ）は、それぞれ遮光シートの表面に示す識別情報の変形例を示す模式図である。
【図１６】（ａ）、（ｂ）は、それぞれ、遮蔽ガイドに識別情報を表示し、遮光シートを指示手段として用いる場合の変形例を示す模式図である。
【図１７】（ａ）〜（ｃ）は、それぞれ、遮蔽ガイドに識別情報を表示し、遮光シートを指示手段として用いる場合のさらなる変形例を示す模式図である。
【図１８】反射型のＰＩＲセンサの模式図である。
【発明を実施するための形態】
【００１４】
以下、本発明の一実施形態である赤外線センサについて図を参照しつつ説明する。
この赤外線センサは、検知エリアに設定された複数の検知ゾーンのそれぞれから放射された赤外線を、集光レンズアレイのうちのその検知ゾーンに対応するレンズにより集光して焦電素子で受光し、各検知ゾーンにおける熱エネルギーの時間的な変化を検出する。この赤外線センサは、赤外線を遮光する材料で形成された短冊状の遮光シートを集光レンズの内側の面に沿ってスライド移動できるように支持する遮蔽ガイドを備える。赤外線センサを設置する作業者は、遮光シートをスライド移動させることにより集光レンズアレイのうちの所望のレンズを遮蔽し、そのレンズで集光する赤外線を遮光させることができる。さらに、この遮光シート上には、遮光シートが何れかのレンズを遮蔽する位置にスライド移動されたときに、遮蔽ガイドにより予め指し示された位置に、遮蔽されているレンズの番号又は遮蔽されていないレンズの番号が表れるように、各レンズの番号が印刷されている。これにより、赤外線センサは、赤外線を遮光する検知ゾーンの容易かつ的確な設定を可能にすることを図る。
【００１５】
図１は、赤外線センサの外観を示す概略斜視図である。本実施形態の赤外線センサ１は、検知エリアに侵入する侵入物体を検出する、焦電素子および集光レンズを用いた焦電型の赤外線センサ（ＰＩＲセンサ）である。図１に示すように、赤外線センサ１は、センサ本体１０及び筐体１１を有する。センサ本体１０は、侵入物体を検出する機能を実現する部分であり、前面支持部１００と、前面支持部１００に取り付けられた集光レンズ１０１を備える。この前面支持部１００が筐体１１に取り付けられることにより、センサ本体１０は筐体１１に固定される。筐体１１は、例えば射出成形された樹脂などからなり、略直方体の形状を有する。例えば、検知エリアが屋内である場合、筐体１１は、集光レンズ１０１が検知エリアに向くように、屋内の天井や壁などに取り付けられる。
なお、以下では、便宜上、赤外線センサ１が水平に設置された場合に、水平面に平行で、かつ赤外線センサ１が検知エリアを向く方向と直交する方向をx軸、水平面と直交する方向（鉛直方向）をy軸、水平面に平行で、かつ赤外線センサ１が検知エリアを向く方向をz軸とする座標系を設定する。また、以下では、y軸の上方向を上側とし、y軸の下方向を下側として説明する。
【００１６】
図２に、図１の矢視Ａ−Ａ’における赤外線センサ１の概略断面図を示す。図２に示すように、センサ本体１０は、前面支持部１００及び集光レンズ１０１に加えて、背面支持部１０２、焦電素子１０３、信号処理部１０４及び信号線１０５を備える。背面支持部１０２、焦電素子１０３及び信号処理部１０４は、筐体１１内に備えられ、信号線１０５は、筐体１１内部から外部へ向けて配置される。
集光レンズ１０１は、前面支持部１００と背面支持部１０２にはさまれて固定される。赤外線センサ１が侵入物体を検出する検知エリアは、各々離間した複数の検知ゾーンによって構成される。赤外線センサ１は集光レンズ１０１を用いて、各検知ゾーンからの赤外線（熱線）を焦電素子１０３に集光する。焦電素子１０３は背面支持部１０２に、集光レンズ１０１により集光された赤外線を受光する方向を向くように取り付けられる。
また、各検知ゾーンは一対のゾーンからなり、焦電素子１０３は、例えば逆極性で接続された一対の焦電素子で構成される。一方の焦電素子は、各検知ゾーンの一対のゾーンのうち、一方のゾーンからの赤外線を受光して正電圧に変換し、他方の焦電素子は、他方のゾーンからの赤外線を受光して負電圧に変換して信号処理部１０４に出力する。この信号処理部１０４は回路基板に実装されるＣＰＵ、ＲＯＭ、ＲＡＭ等により構成される。そして回路基板は、焦電素子１０３が受光する赤外線を遮らないように、センサ本体１０の、焦電素子１０３の背面側に取り付けられる。
一対のゾーンを横切る方向に侵入物体が通過すると、焦電素子１０３が出力する電圧は正電圧から負電圧（または負電圧から正電圧）に変化する。そこで信号処理部１０４は、焦電素子１０３から出力された電圧変化の大きさに基づいて検知エリアに侵入物体が存在する確かさの度合いを表す検知信号を生成し、信号線１０５を介して外部に出力する。
【００１７】
図３に、筐体１１から取り外されたセンサ本体１０を赤外線センサ１の外側（検知エリア側）から見た概略斜視図を示し、図４に、筐体１１から取り外されたセンサ本体１０を赤外線センサ１の内側（検知エリアと反対側）から見た概略斜視図を示す。また、図５に、赤外線センサ１が検知エリアを向く方向に対して左側からセンサ本体１０を見た概略側面図を示し、図６に、赤外線センサ１が検知エリアを向く方向に対して右側からセンサ本体１０を見た概略側面図を示す。図３〜図６に示すように、センサ本体１０の背面支持部１０２には、集光レンズ１０１の一部を遮蔽するための遮光シート１６１〜１６６が配置される。この遮光シート１６１〜１６６は、センサ本体１０が筐体１１に取り付けられたときは、筐体１１内に備えられる。
【００１８】
図７に前面支持部１００を検知エリア側から見た模式図を示す。前面支持部１００は、例えば射出成型された樹脂などからなる。前面支持部１００は、略矩形の板状の形状を持つ矩形部１０６を有し、矩形部１０６の上側の二つの角は略直角であり、下側の二つの角が丸みを帯びている。矩形部１０６の上側の縁には、矩形部１０６と直角をなすように検知エリア側に突出する半円板状の突出部１０８が形成される。また矩形部１０６には、下側に凸な半円状に切り欠かれた窓１０７が形成される。また検知エリア側から見て矩形部１０６の左右の縁には、前面支持部１００を筐体１１に取り付けるための、ネジ穴を備えた取付部１１０が形成される。
【００１９】
図８に集光レンズ１０１の概略斜視図を示す。集光レンズ１０１は、透明樹脂からなり、球面を、その中心を通り互いに直交する二つの面で切断した４分の１球面の形状を有する。集光レンズ１０１は、二つの切断面のうちの一方に沿って広がるフランジ１１１と、二つの切断面のうちの他方において球面に沿って広がるフランジ１１２を備える。集光レンズ１０１は、球面の外側が検知エリア側を向くように赤外線センサ１の内側から前面支持部１００の半円状の窓１０７にはめられる。
集光レンズ１０１の球面における、フランジ１１１側を底面としたときの頂部を中心とする中央凸状部には複数のレンズを２次元に配列した集光レンズアレイ１１３が配置される。図９（ａ）に集光レンズ１０１を赤外線センサ１の内側（検知エリアと反対側）から見た模式図を示し、図９（ｂ）に集光レンズ１０１を赤外線センサ１が検知エリアを向く方向に対して左側から見た模式図を示し、図９（ｃ）に集光レンズ１０１を赤外線センサ１が検知エリアを向く方向に対して右側から見た模式図を示す。図９（ａ）〜（ｃ）に示すように、集光レンズ１０１には、赤外線センサ１が水平に設置されたときの鉛直方向（y軸方向）に３段（上段部分、中段部分、下段部分）にそれぞれ複数のレンズが形成される。集光レンズ１０１には、上段部分に七つのレンズ（Ａ１〜Ａ７）が形成され、中段部分に七つのレンズ（Ｂ１〜Ｂ７）が形成され、下段部分に三つのレンズ（Ｃ１〜Ｃ３）が形成される。各レンズは、対応する検知ゾーンから放射された赤外線を焦電素子に集光するようにアライメント調整される。なお、集光レンズアレイの各レンズはどのようなものでもよいが、本実施形態では、フレネルレンズを用いるものとして説明する。
【００２０】
図１０に、検知ゾーンと集光レンズと焦電素子の関係を表す模式図を示す。図１０は、検知エリア１０００及び赤外線センサ１の集光レンズ１０１を上側から鉛直方向にみた模式図を示す。図１０には、簡略化のため、集光レンズ１０１の下段部分のレンズＣ１、Ｃ２、Ｃ３（１００１、１００２、１００３）と、レンズＣ１、Ｃ２、Ｃ３が赤外線を集光する検知ゾーンＣ１’、Ｃ２’、Ｃ３ ’（１０１１、１０１２、１０１３）のみを示す。図１０に示すように、各レンズ１００１、１００２、１００３は、それぞれ対応する検知ゾーン１０１１、１０１２、１０１３から放射された赤外線を焦電素子１０３に集光するようにアライメント調整される。
【００２１】
図１１に、背面支持部１０２の概略斜視図を示す。背面支持部１０２は、前面支持部１００と同様に、例えば射出成形された樹脂などからなる。背面支持部１０２の前面部（検知エリア側の面）１１４は、集光レンズ１０１の球面及びフランジ１１１に略一致する形状に形成される。前面部１１４のうち、集光レンズ１０１の球面に一致する形状に形成された突出部１１５において、集光レンズアレイと対向する領域には穴１１６が設けられ、その穴１１６の奥には焦電素子１０３が集光レンズ１０１を向くように配置される。また、集光レンズ１０１と背面支持部１０２の間に遮光シートを通すために、突出部１１５上には、集光レンズアレイの各段が形成される方向（x軸方向）に遮光シートと略同一の厚さのくぼみ１１７が設けられる。また、突出部１１５を上側から見た面は、集光レンズ１０１のフランジ１１２に沿って形成される半円状の開口を覆うように半円板１１８で形成される。
【００２２】
また、前面部１１４の、集光レンズ１０１のフランジ１１１と対向する領域の背面には、突出部１１５に沿った面の延長部分１２０が形成される。図１２（ａ）に図１１の矢視Ｂ−Ｂ’における延長部分１２０の概略断面図を示す。図１２（ａ）に示すように、延長部分１２０には、突出部１１５に沿うように、貫通溝１２１が設けられる。この貫通溝１２１は遮光シートを通すための溝であり、集光レンズアレイの段数と同数（三つ）の貫通溝が、それぞれ集光レンズアレイの各段とy軸方向に同じ位置に同じ高さをもつように設けられる。
一方、図１２（ｂ）に延長部分１２０を赤外線センサが検知エリアを向く方向に対して左側から見た模式図を示す。図１２（ｂ）に示すように、延長部分１２０は、赤外線センサが検知エリアを向く方向に対して横側から見ると略矩形の形状を有し、この延長部分１２０の外側（赤外線センサが検知エリアを向く方向に対して左側）には各貫通溝１２１に連通する窓１２２〜１２４が設けられる。この窓１２２〜１２４は、延長部分に配置された遮光シート１６１〜１６３の表面を露出させて作業者が後述する遮光シートに記載されたレンズの識別情報を目視するための窓である。なお、赤外線センサが検知エリアを向く方向に対して右側にも延長部分が形成されるが、延長部分１２０と同様の構造をもつため、説明を省略する。以降、この延長部分を遮蔽ガイドと称する。
また、各窓のy軸方向の境界を形成する、各貫通溝１２１の内壁面の少なくとも一方には、窓の内側に向けて突起した突起部１３１〜１３５が形成される。突起部１３１〜１３５は、それぞれz軸方向の位置が一致するように形成される。これらの突起部１３１〜１３５は、遮光シートを係止させるための係止手段として機能するとともに、作業者に遮光シートの表面に印刷された情報を指し示すための指示手段として機能する。
【００２３】
図３乃至６に示した遮光シート１６１〜１６６は、赤外線を遮光する材料（例えばＰＥＴ（ポリエチレンテレフタレート）材に黒色インクを塗ったもの）により短冊状に形成された、弾性遮光部材である。遮光シート１６１は図９に示したレンズＡ１〜Ａ４の何れかを通過する赤外線を遮光し、遮光シート１６２はレンズＢ１〜Ｂ４の何れかを通過する赤外線を遮光し、遮光シート１６３はレンズＣ１〜Ｃ２の何れかを通過する赤外線を遮光するための遮光部材である。また遮光シート１６４はレンズＡ４〜Ａ７の何れかを通過する赤外線を遮光し、遮光シート１６５はレンズＢ４〜Ｂ７の何れかを通過する赤外線を遮光し、遮光シート１６６はレンズＣ２〜Ｃ３の何れかを通過する赤外線を遮光するための遮光部材である。そのため、各遮光シートの幅は、それぞれ赤外線を遮光するレンズのy軸方向の長さと略同一である。各遮光シートは、集光レンズ１０１側の先端の位置から各遮光シートが配置される遮蔽ガイド側に位置する全てのレンズを遮蔽する。遮光シート１６１〜１６６は、概略、同様の形状を有するので、以下では代表して遮光シート１６１について説明する。
【００２４】
図１３に、遮蔽ガイドに配置された遮光シート１６１の模式図を示す。遮光シート１６１は、貫通溝１２１を通って遮蔽ガイド１２０に配置される。遮光シート１６１は、貫通溝１２１を通って集光レンズ１０１側にスライド移動され、さらに集光レンズ１０１と背面支持部１０２のくぼみ１１７の間を通って、その表面が集光レンズ１０１の内側の面に沿うようにスライド移動される。図１３においては、集光レンズ１０１のうちレンズＡ１のみが遮光シート１６１により遮蔽され（実線で図示）、レンズＡ２〜Ａ４は遮蔽されていない（破線で図示）。
【００２５】
なお、遮光シートは、集光レンズ１０１の外側の面に沿うようにスライド移動するようにしてもよい。その場合、集光レンズ１０１の外側面に赤外線を透過する窓カバーを覆い被せ、この窓カバーの内側面に、背面支持部１０２に設けたくぼみ１１７と同様な、各遮光シートのスライド移動を案内するくぼみを設ける。
【００２６】
例えば、図１３に示しているように、レンズＡ１のみを遮蔽する場合、作業者は、遮光シート１６１を集光レンズ１０１側の先端がレンズＡ１とレンズＡ２の境界に位置するようにスライド移動させなければならない。しかし、集光レンズアレイの各レンズの境界が不鮮明な場合、集光レンズアレイのレンズ面が作業者が見にくい位置にある場合等、作業者が集光レンズアレイの各レンズの境界位置を直接目視して遮光シートの位置を合わせるのは困難である。そこで、遮光シート１６１の表面には、遮光シート１６１の集光レンズ１０１側の先端が各レンズの境界に位置するときに、遮蔽ガイド１２０の集光レンズ１０１側の端部１４１と対抗する側の端部１４２に合う位置に境界線１７１〜１７４がシルク印刷される。遮光シート１６１は集光レンズ１０１のレンズ面上を沿ってスライド移動する。そのため、あるレンズを遮蔽した状態からその隣に位置する遮蔽されていないレンズを遮蔽するために遮光シート１６１をスライド移動させた場合、遮蔽ガイド１２０上においてスライド移動した距離は、そのスライド移動により遮蔽されたレンズのレンズ幅と略同一である。そこで、境界線１７１と境界線１７２の間の長さはレンズＡ２のレンズ幅と略同一にし、境界線１７２と境界線１７３の間の長さはレンズＡ３のレンズ幅と略同一にし、境界線１７３と境界線１７４の間の長さはレンズＡ４のレンズ幅と略同一にする。
【００２７】
これにより、作業者は、遮光シート１６１に印刷された境界線を端部１４２に合わせて、遮光シートをスライド移動させる位置を容易に調整することができる。また、遮光シート１６２〜１６５についても同様に境界線が印刷される。
【００２８】
また、遮光シート１６１は、遮光シート１６１の集光レンズ１０１側の先端がレンズＡ１とレンズＡ２の境界に位置するときに、遮蔽ガイド１２０の突起部１３１、１３２と合う位置に切り欠き部１８１、１８５を備える。同様に、遮光シート１６１は、遮光シート１６１の集光レンズ１０１側の先端が、それぞれレンズＡ２とレンズＡ３の境界、レンズＡ３とレンズＡ４の境界、レンズＡ４とレンズＡ５の境界に位置するときに、突起部１３１、１３２と合う位置に切り欠き部１８２〜１８４、１８６〜１８７を備える。これらの切り欠き部１８１〜１８４、１８５〜１８８は、突起部１３１、１３２と略同一の形状、大きさをもつ。
また、遮光シート１６１において各切り欠き部が設けられる長手方向の間隔は、各境界線が印刷される間隔と同様に、各レンズにおける遮光シート１６１がスライド移動する方向のレンズ幅に応じて定められる。つまり、切り欠き部１８１、１８５と切り欠き部１８２、１８６の間の長さはレンズＡ２のレンズ幅と略同一にし、切り欠き部１８２、１８６と切り欠き部１８３、１８７の間の長さはレンズＡ３のレンズ幅と略同一にし、切り欠き部１８３、１８７と切り欠き部１８４、１８８の間の長さはレンズＡ４のレンズ幅と略同一にする。
【００２９】
作業者は、これらの切り欠き部１８１〜１８４、１８５〜１８８を遮蔽ガイド１２０の突起部１３１、１３２にはめることにより、遮光シート１６１を所望のレンズを遮蔽した位置で固定させることができる。つまり、遮蔽ガイド１２０の突起部１３１、１３２は、遮光シート１６１の集光レンズ１０１側の先端を集光レンズ１０１の隣接するレンズの間の境界の位置に係止させるための係止手段として機能する。また、遮光シート１６２〜１６５も同様に切り欠き部を備える。
なお、上述した通り、遮光シートは弾性をもち、緩ませながら遮蔽ガイド１２０内をスライド移動することができる。そのため、遮光シートは緩ませることにより突起部に引っかからないようにスライド移動させ、切り欠き部を突起部にはめた状態で張り詰めることにより係止させることができる。
【００３０】
また、遮光シート１６１の表面には、集光レンズアレイの各レンズを示す識別情報が表示される。例えば図１３に示すように、遮光シート１６１の集光レンズ１０１側の先端がレンズＡ１とレンズＡ２の境界に位置するときに、指示手段である遮蔽ガイド１２０の突起部１３１の近傍となる位置に、遮蔽しているレンズの番号であるＡ１が識別情報としてシルク印刷される。
さらに遮光シート１６１の表面には各境界線で囲まれた領域ごとに、レンズの番号Ａ２、Ａ３、Ａ４が識別情報として印刷される。したがって、各識別情報が印刷される長手方向の間隔は、各切り欠き部が設けられる間隔または各境界線が印刷される間隔とおよそ一致する。
【００３１】
上述した通り、作業者は、遮蔽ガイド１２０の突起部１３１を指示手段として遮光シートに印刷された番号を目視することにより、どのレンズが遮光シートにより赤外線を遮光している状態であるかを確認できる。一方、遮光シート１６１に印刷されたレンズの番号は、遮蔽ガイド１２０の端部１４２の近傍に表されており、作業者はこの端部１４２を目印としてレンズの番号Ａ１を確認することもできる。つまりこの場合、遮蔽ガイド１２０の端部１４２が指示手段として機能するともいえる。
【００３２】
図１４に、遮光シート１６１をスライド移動させてレンズＡ１とＡ２を遮蔽する場合の例を示す。図１４に示すように、作業者は、境界線１７２を遮蔽ガイド１２０の端部１４２に合わせるように遮光シート１６１をスライド移動させることにより、遮光シート１６１の先端をレンズＡ２とレンズＡ３の境界まで移動させることができる。このとき突起部１３１の近傍には、番号Ａ２が表示される。作業者は、突起部１３１を目印として番号Ａ２を目視することにより、レンズＡ２と、レンズＡ２より遮蔽ガイド１２０側にあるレンズＡ１が遮光シートにより赤外線を遮光している状態であることを確認できる。
同様に作業者は、境界線１７３または境界線１７４を端部１４２に合わせることにより、遮光シート１６１の先端がレンズＡ３とレンズＡ４の境界またはレンズＡ４とレンズＡ５の境界に位置するようにスライド移動させることができる。このとき作業者は、突起部１３１を目印として番号Ａ３または番号Ａ４を目視することにより、レンズＡ１〜Ａ３またはレンズＡ１〜Ａ４が遮光シートにより赤外線を遮光している状態であることを確認できる。このように本実施形態では、指示手段は、遮蔽しているレンズのうち、集光レンズの外側（遮蔽ガイド１２０側）から見て最も奥方のレンズの番号を指し示す。
【００３３】
なお、遮光シートの先端が、遮蔽しているレンズと遮蔽していないレンズの境界に位置するときに、指示手段が指し示す識別情報は、遮蔽しているレンズのうち、遮光シートの集光レンズ側の先端に最も近いレンズの番号に限られない。図１５（ａ）〜（ｃ）に遮光シートの表面に示す識別情報の変形例を示す。図１５（ａ）に示すように、遮光シートの集光レンズ側の先端が、遮蔽しているレンズと遮蔽していないレンズの境界に位置するときに、指示手段が指し示す識別情報は、その遮光シートが遮蔽している全てのレンズの番号としてもよい。その場合、遮光シート１６１には、集光レンズ１０１側から順に、Ａ１、Ａ１／Ａ２、Ａ１／Ａ２／Ａ３、Ａ１／Ａ２／Ａ３／Ａ４と示される識別情報が、それぞれレンズＡ２のレンズ幅、レンズＡ３のレンズ幅、レンズＡ４のレンズ幅の間隔で印刷される。そして、遮光シート１６１の集光レンズ１０１側の先端がレンズＡ１とレンズＡ２の境界に位置するときに突起部１３１の近傍となる位置には、番号Ａ１が印刷される。この場合、遮光シート１６１の集光レンズ１０１側の先端がレンズＡ２とレンズＡ３の境界に位置するとき指示手段は番号Ａ１／Ａ２を指し示し、先端がレンズＡ３とレンズＡ４の境界に位置するとき指示手段は番号Ａ１／Ａ２／Ａ３を指し示し、先端がレンズＡ４とレンズＡ５の境界に位置するとき指示手段は番号Ａ１／Ａ２／Ａ３／Ａ４を指し示す。これにより作業者は、遮光シートにより遮蔽されている全てのレンズをより直感的に識別することができる。
【００３４】
あるいは、図１５（ｂ）に示すように、遮光シートの集光レンズ側の先端が、遮蔽しているレンズと遮蔽していないレンズの境界に位置するときに、指示手段が指し示す識別情報は、遮光シートの集光レンズ側の先端で遮蔽しているレンズ（最も奥方の遮蔽レンズ）に隣接する遮蔽していないレンズの番号としてもよい。その場合、遮光シート１６１には、集光レンズ１０１側から順に、Ａ１、Ａ２、Ａ３、Ａ４と示される識別情報が、それぞれレンズＡ２のレンズ幅、レンズＡ３のレンズ幅、レンズＡ４のレンズ幅の間隔で印刷される。例えば、遮光シート１６１の集光レンズ１０１側の先端がレンズＡ１とレンズＡ２の境界に位置するときに突起部１３１の近傍となる位置には、遮蔽していないレンズの番号であるＡ２が印刷される。そして、遮光シート１６１の先端がレンズＡ２とレンズＡ３の境界に位置するとき指示手段は番号Ａ３を指し示し、先端がレンズＡ３とレンズＡ４の境界に位置するとき指示手段は番号Ａ４を指し示す。また、遮光シート１６１の先端がレンズＡ１の手前側の境界に位置するとき指示手段は番号Ａ２を指し示す。これにより作業者は、遮光シートにより遮蔽されていないレンズをより直感的に識別することができる。
【００３５】
あるいは、図１５（ｃ）に示すように、遮光シートの集光レンズ側の先端が、遮蔽しているレンズと遮蔽していないレンズの境界に位置するときに、指示手段が指し示す識別情報は、その遮光シートが遮蔽していない全てのレンズの番号としてもよい。その場合、遮光シート１６１には、集光レンズ１０１側から順に、Ａ１／Ａ２／Ａ３／Ａ４、Ａ２／Ａ３／Ａ４、Ａ３／Ａ４、Ａ４と示される識別情報が、それぞれレンズＡ２のレンズ幅、レンズＡ３のレンズ幅、レンズＡ４のレンズ幅の間隔で印刷される。そして、遮光シート１６１の集光レンズ１０１側の先端がレンズＡ１とレンズＡ２の境界に位置するときに突起部１３１の近傍となる位置には、番号Ａ２／Ａ３／Ａ４が印刷される。この場合、遮光シート１６１の集光レンズ１０１側の先端がレンズＡ２とレンズＡ３の境界に位置するとき指示手段は番号Ａ２／Ａ３／Ａ４を指し示し、先端がレンズＡ３とレンズＡ４の境界に位置するとき指示手段は番号Ａ３／Ａ４を指し示し、先端がレンズＡ４とレンズＡ５の境界に位置するとき指示手段は番号Ａ４を指し示す。この場合も作業者は、遮光シートにより遮蔽されていないレンズをより直感的に識別することができる。
なお、図１３〜１５の例では、遮蔽ガイド１２０の窓１２２は指示するレンズを含む複数の識別情報が露出する大きさとなっているが、支持するレンズの識別情報のみ露出する大きさに構成してもよい。
【００３６】
また、例えば遮光シートがスライド移動する方向の、遮蔽ガイド１２０の窓１２２側の表面（以降、窓側面と称する）に識別情報を印刷しておき、遮光シート１６１上に△印等のマーカを印刷して遮光シート１６１を指示手段として用いてもよい。図１６（ａ）、（ｂ）に、遮蔽ガイドに識別情報を表示し、遮光シートを指示手段として用いる場合の変形例を示す。図１６（ａ）は、遮光シート１６１をスライド移動させてレンズＡ１を遮蔽する場合の例を示し、図１６（ｂ）は、遮光シート１６１をスライド移動させてレンズＡ１とＡ２を遮蔽する場合の例を示す。
図１６（ａ）に示すように、遮蔽ガイド１２０の窓側面１５１には、集光レンズ１０１と反対側から順に、Ａ１、Ａ２、Ａ３、Ａ４と示される識別情報が、それぞれレンズＡ２のレンズ幅、レンズＡ３のレンズ幅、レンズＡ４のレンズ幅の間隔で印刷される。一方、遮光シート１６１には、指示手段として、遮光シートの集光レンズ１０１側の先端が、レンズＡ１とレンズＡ２の境界に位置するときに、遮蔽されているレンズの番号である番号Ａ１を指し示す位置に△印等のマーカが印刷される。これにより、図１６（ｂ）に示すように、遮光シート１６１が集光レンズ１０１側の先端がレンズＡ２とレンズＡ３の境界に位置するようにスライド移動されたときには、遮光シート１６１に印刷されたマーカは番号Ａ２を指し示す。同様に、遮光シート１６１の集光レンズ１０１側の先端が、レンズＡ３とレンズＡ４の境界、レンズＡ４とレンズＡ５の境界に位置するようにスライド移動されたときには、遮光シート１６１に印刷されたマーカは、それぞれ番号Ａ３、Ａ４を指し示す。つまり、遮光シートの指示手段は、遮光シートの集光レンズ１０１側の先端が、遮蔽しているレンズと遮蔽していないレンズの境界に位置するときに、遮蔽しているレンズのうち、遮光シートの集光レンズ側の先端に最も近いレンズの番号を指し示す。
【００３７】
図１７（ａ）〜（ｃ）に、遮蔽ガイドに識別情報を表示し、遮光シートを指示手段として用いる場合のさらなる変形例を示す。図１７（ａ）に示す例では、遮光シート１６１の指示手段は、遮光シートの集光レンズ１０１側の先端が、遮蔽しているレンズと遮蔽していないレンズの境界に位置するときに、遮蔽している全てのレンズの番号を指し示す。その場合、窓側面１５１には、集光レンズ１０１と反対側から順に、Ａ１、Ａ１／Ａ２、Ａ１／Ａ２／Ａ３、Ａ１／Ａ２／Ａ３／Ａ４と示される識別情報が、それぞれレンズＡ２のレンズ幅、レンズＡ３のレンズ幅、レンズＡ４のレンズ幅の間隔で印刷される。そして、遮光シート１６１には、遮光シート１６１の集光レンズ１０１側の先端がレンズＡ１とレンズＡ２の境界に位置するときに番号Ａ１を指し示す位置にマーカが印刷される。
【００３８】
また図１７（ｂ）に示す例では、遮光シート１６１の指示手段は、遮蔽シートの集光レンズ１０１側の先端が、遮蔽しているレンズと遮蔽していないレンズの境界に位置するときに、遮蔽していないレンズのうち、遮光シートの集光レンズ側の先端に最も近いレンズの番号を指し示す。その場合、窓側面１５１には、集光レンズ１０１と反対側から順に、Ａ１、Ａ２、Ａ３、Ａ４と示される識別情報が、それぞれレンズＡ２のレンズ幅、レンズＡ３のレンズ幅、レンズＡ４のレンズ幅の間隔で印刷される。そして、遮光シート１６１には、遮光シート１６１の集光レンズ１０１側の先端がレンズＡ１とレンズＡ２の境界に位置するときに遮蔽していないレンズの番号であるＡ２を指し示す位置にマーカが印刷される。
【００３９】
また図１７（ｃ）に示す例では、遮光シート１６１の指示手段は、遮光シートの集光レンズ１０１側の先端が、遮蔽しているレンズと遮蔽していないレンズの境界に位置するときに、遮蔽していない全てのレンズの番号を指し示す。その場合、窓側面１５１には、集光レンズ１０１と反対側から順に、Ａ１／Ａ２／Ａ３／Ａ４、Ａ２／Ａ３／Ａ４、Ａ３／Ａ４、Ａ４と示される識別情報が、それぞれレンズＡ２のレンズ幅、レンズＡ３のレンズ幅、レンズＡ４のレンズ幅の間隔で印刷される。そして、遮光シート１６１には、遮光シート１６１の集光レンズ１０１側の先端がレンズＡ１とレンズＡ２の境界に位置するときに番号Ａ２／Ａ３／Ａ４を指し示す位置にマーカが印刷される。
上述したように、遮蔽ガイド１２０に識別情報を表示し、遮光シート１６１を指示手段として用いる場合も、遮光シート１６１上に識別情報を印刷しておき、遮蔽ガイド１２０を指示手段として用いる場合と同様の効果が得られる。
【００４０】
上述したように、互いに隣接する二つの識別情報は、その二つの識別情報にそれぞれ対応する二つのレンズの相互の位置関係と同一の位置関係をもつように遮蔽シート上に表示される。
【００４１】
以上説明してきたように、本発明の一実施形態による赤外線センサは、各検知ゾーンから放射された赤外線を集光レンズアレイの、その検知ゾーンに対応するレンズにより集光して焦電素子で受光し、各検知ゾーンにおける熱エネルギーの時間的な変化を検出する。この赤外線センサは、集光レンズの内側の面に沿ってスライド移動可能な、赤外線を遮光する遮光シートと、遮光シートを支持する遮蔽ガイドを備える。これにより作業者は、遮光シートをスライド移動させて集光レンズの所望のレンズを遮蔽し、そのレンズにより集光する赤外線を遮光させることができ、侵入物体を検知しない検知ゾーンを容易に設定することができる。
さらに、この遮光シート又は遮蔽ガイドのいずれか一方には、各レンズを示す識別情報が表示され、互いに隣接する二つの識別情報は、その二つの識別情報にそれぞれ対応する二つのレンズの相互の位置関係と同一の位置関係をもつように表示される。その他方は、遮光部材により遮蔽されているレンズのうち、遮光シートの集光レンズ側の先端に最も近いレンズを示す識別情報と、遮光部材により遮蔽されていないレンズのうち、遮光シートの集光レンズ側の先端に最も近いレンズを示す識別情報とのうちの何れか一方を指し示す指示手段を備える。これにより作業者は、遮光シートがどのレンズを遮蔽する位置までスライド移動した状態であるかを容易に確認できるので、侵入物体を検知しない検知ゾーンを的確に設定することができる。
また、集光レンズアレイは複数の段で構成され、遮光シートは各段ごとに備えられ、遮蔽ガイドは各段ごとに独立してスライド移動可能に遮光シートを支持する。これにより、作業者は、侵入物体を検知しない検知ゾーンを柔軟に設定することができる。
また、遮光シートは十分に大きいため、作業者にとって取り扱いやすく、さらに紛失するおそれも少ない。
【００４２】
以上、本発明の好適な実施形態について説明してきたが、本発明はこれらの実施形態に限定されるものではない。例えば、遮蔽ガイドには、指示手段として、遮光シートに表示された識別情報を指し示す位置に△印等のマーカが設けられてもよい。その場合、遮光シートの表面には、その遮光シートのレンズ側の先端部分が遮蔽しているレンズの番号がそのマーカが示す位置に表れるように各レンズの番号を印刷しておく。あるいは、遮蔽ガイドの窓部分を不透明な部材（例えばプラスチック板に黒色インクを塗ったもの）で覆い、指示手段として確認孔を設けてもよい。その場合、遮光シートの表面には、その遮光シートのレンズ側の先端部分が遮蔽しているレンズの番号がその確認孔の位置に表れるように各レンズの番号を印刷しておく。これにより作業者は、容易に遮光シートにより赤外線が遮光されているレンズを確認することができる。
【００４３】
また、本実施形態では、各遮光シートが、集光レンズを正面からみて左右方向の中央の位置にあるレンズまで遮光する例を示したが、各遮光シートは、各段の全てのレンズを遮光できるように形成されてもよい。また、各遮光シートは、集光レンズの複数のレンズのうち一部のレンズのみを遮光するように、その一部のレンズを遮光する部分以外の部分は、透明樹脂等の透過性の材料で形成してもよい。その場合、遮光シートには、その遮光シートをスライド移動させたときに、その遮光シートにより遮光されているレンズの番号と遮光されていないレンズの番号が指示手段が指し示す位置に表れるように各レンズの番号を印刷しておく。これらにより、赤外線センサは、侵入物体を検知しない検知ゾーンをより柔軟に設定することができる。
【００４４】
また、本実施形態では、集光レンズを用いたＰＩＲセンサの例を示したが、本発明は、例えば反射型のＰＩＲセンサにも適用できる。
図１８に反射型の赤外線センサの模式図を示す。反射型の赤外線センサ１８００は、集光ミラー１８０１、焦電素子１８０２及び透過部材１８０３を有する。反射型のＰＩＲセンサを用いる場合も、検知エリアは、各々離間した複数の検知ゾーンによって構成される。集光ミラー１８０１は、複数のミラーからなる集光ミラーアレイであり、各ミラーは、対応する検知ゾーンから放射された赤外線を焦電素子１８０２に集光するようにアライメント調整される。一方、カバー１８０３は、赤外線を透過する樹脂等の材料で形成され、赤外線センサ１８００は、カバー１８０３を透過してきた各検知ゾーンからの赤外線１８１０、１８１１を、その検知ゾーンに対応するミラーにより集光して焦電素子１８０２で受光する。これにより、赤外線センサ１８００は、各検知ゾーンにおける熱エネルギーの時間的な変化を検出する。
【００４５】
赤外線センサ１８００では、検知ゾーンから放射された赤外線を適宜遮光するために、カバー１８０３について各ミラーに対応する複数の面領域を定めておく。各面領域は、対応するミラーで集光する赤外線の光束が透過する領域であり、赤外線センサ１８００の正面（検知エリア側）からみて水平方向及び垂直方向に区分して定められる。例えば、遮光すべきミラーで集光する赤外線が透過するカバー１８０３上の領域が、隣接するミラーで集光する赤外線が透過するカバー１８０３上の領域と一部が重なる場合でも、その遮光すべきミラーで集光する赤外線の光束が通る部分全体を遮蔽するように面領域は定められる。
【００４６】
そして集光レンズを用いた赤外線センサで用いられる遮光シート及び遮蔽ガイドは、集光レンズをカバー１８０３に置き換え、各レンズ面をカバー１８０３の各面領域に置き換えることにより、反射型の赤外線センサ１８００に適用することができる。なお、遮光シートまたは遮蔽ガイドの一方には、識別情報としてミラーの番号が各ミラーに対応して印刷される。各識別情報は、遮光シートのカバー１８０３側の先端が特定の面領域を通る赤外線を遮光する位置にあるときに、その特定の面領域に対応するミラーの番号が指示手段により指し示される位置に印刷される。そのために、互いに隣接する二つの識別情報は、それぞれ対応する二つのミラーに対応する二つの面領域の位置関係に対応した位置関係をもつように印刷される。一方、遮光シートまたは遮蔽ガイドの他方は識別情報を指し示す指示手段を備える。この指示手段は、遮光シートにより遮蔽されている面領域のうち、その遮光シートのカバー１８０３側の先端に最も近い面領域に対応するミラーの番号を示す識別情報を指し示す。あるいは、この指示手段は、遮光シートにより遮蔽されていない面領域のうち、カバー１８０３側の先端に最も近い面領域に対応するミラーの番号を指し示す。これにより、反射型のＰＩＲセンサに本発明を適用することができ、集光レンズを用いたＰＩＲセンサの場合と同様の効果を得ることができる。
【００４７】
以上のように、当業者は、本発明の範囲内で、実施される形態に合わせて様々な変更を行うことができる。
【符号の説明】
【００４８】
１    赤外線センサ
１０    センサ本体
１１    筐体
１００    前面支持部
１０１    集光レンズ
１０２    背面支持部
１０３    焦電素子
１０４    信号処理部
１０５    信号線
１０６    矩形部
１０７    窓
１０８    突出部
１１０    取付部
１１１、１１２    フランジ
１１３    集光レンズアレイ
１１４    前面部
１１５    突出部
１１６    穴
１１７    くぼみ
１１８    半円板
１２０    延長部分、遮蔽ガイド
１２１    貫通溝
１２２〜１２４    窓
１３１〜１３５    突起部
１４１、１４２    遮蔽ガイドの端部
１５１    遮蔽ガイドの窓側面
１６１〜１６６    遮光シート
１７１〜１７４    境界線
１８１〜１８４    切り欠き部
１８００    赤外線センサ
１８０１    焦電素子
１８０２    集光ミラー
１８０３    カバー
【図１】
0005738040.tif 000002
【図２】
0005738040.tif 000003
【図３】
0005738040.tif 000004
【図４】
0005738040.tif 000005
【図５】
0005738040.tif 000006
【図６】
0005738040.tif 000007
【図７】
0005738040.tif 000008
【図８】
0005738040.tif 000009
【図９】
0005738040.tif 000010
【図１０】
0005738040.tif 000011
【図１１】
0005738040.tif 000012
【図１２】
0005738040.tif 000013
【図１３】
0005738040.tif 000014
【図１４】
0005738040.tif 000015
【図１５】
0005738040.tif 000016
【図１６】
0005738040.tif 000017
【図１７】
0005738040.tif 000018
【図１８】
0005738040.tif 000019